(57)【要約】【課題】本体ケースの薄型化及び小型化を図ることができるカメラ付き携帯電話機を提供する。【解決手段】屈曲光学系が適用された撮像装置１が本体ケース４１内に収容されたカメラ付き携帯電話機４０であって、本体ケース４１は、外周部に形成された面取り部４１ｄを有し、撮像装置１は、入射光の光路を屈曲させる反射面８ａを有するプリズム８と、プリズム８を収容し、反射面８ａに沿うように形成された切欠き部４ｄを有するハウジング４とを備え、撮像装置１は、切欠き部４ｄが面取り部４１ｄに対応するように本体ケース４１内に配置されていることによって、屈曲光学系のプリズム８の形状に起因してスペースの有効活用を行うことができ、本体ケース４１の薄型化と共に小型化を実現することが可能となる。【選択図】図３
2009141607.tif 000002
【特許請求の範囲】
【請求項１】
屈曲光学系が適用された撮像装置が本体ケース内に収容されたカメラ付き携帯電話機であって、
前記本体ケースは、外周部に形成された面取り部を有し、
前記撮像装置は、入射光の光路を屈曲させる反射面を有する反射部材と、前記反射部材を収容し、前記反射面に沿うように形成された切欠き部を有するハウジングとを備え、
前記撮像装置は、前記切欠き部が前記面取り部に対応するように前記本体ケース内に配置されていること、
を特徴とするカメラ付き携帯電話機。
【発明の詳細な説明】
【技術分野】
【０００１】
本発明は、カメラ付き携帯電話機に関する。
【背景技術】
【０００２】
従来のカメラ付き携帯電話機として、屈曲光学系が適用された撮像装置が本体ケース内に収容されたものが知られている（例えば、特許文献１参照）。このようなカメラ付き携帯電話機では、撮像装置に屈曲光学系を採用することで、本体ケースの薄型化を図っている。
【特許文献１】特開２００２−３０３７９１号公報
【発明の開示】
【発明が解決しようとする課題】
【０００３】
しかしながら、カメラ付き携帯電話機に対しては、本体ケースの薄型化だけでなくその小型化をも要求されている。
【０００４】
そこで、本発明は、このような事情に鑑みてなされたものであり、本体ケースの薄型化及び小型化を図ることができるカメラ付き携帯電話機を提供することを目的とする。
【課題を解決するための手段】
【０００５】
上記目的を達成するために、本発明に係るカメラ付き携帯電話機は、屈曲光学系が適用された撮像装置が本体ケース内に収容されたカメラ付き携帯電話機であって、本体ケースは、外周部に面取り部を有し、撮像装置は、入射光の光路を屈曲させる反射面を有する反射部材と、反射部材を収容し、反射面に沿うように形成された切欠き部を有するハウジングとを備え、撮像装置は、切欠き部が面取り部に対応するように本体ケース内に配置されていることを特徴とする。
【０００６】
このカメラ付き携帯電話機では、屈曲光学系が適用された撮像装置のハウジングに、入射光の光路を屈曲させる反射部材の反射面に沿うように切欠き部が形成されており、撮像装置は、本体ケースの外周部に形成された面取り部に対応するようにして本体ケース内に配置されている。これにより、屈曲光学系の反射部材の形状に起因してスペースの有効活用を行うことができ、本体ケースの薄型化と共に小型化を実現することが可能となる。
【発明の効果】
【０００７】
本発明によれば、本体ケースの薄型化及び小型化を図ることができる。
【発明を実施するための最良の形態】
【０００８】
以下、本発明の好適な実施形態について、図面を参照して詳細に説明する。なお、各図において同一又は相当部分には同一符号を付し、重複する説明を省略する。
【０００９】
図１は、本発明に係るカメラ付き携帯電話機の一実施形態を示す概要図である。図１に示されるように、カメラ付き携帯電話機４０は、折畳式の携帯電話機であって、本体ケース４１、４２を備えている。
【００１０】
本体ケース４１、４２は、対向する底面が長方形状であり且つ高さが底面の各辺よりも短い直方体箱状となっている。本体ケース４１を構成する面のうち最も広い面には、通話機能やメール機能を発揮するための操作ボタン４３が配設されており、本体ケース４２を構成する面のうち最も広い面には、液晶画面４４が配設されている。本体ケース４１，４２は、長手方向におけるそれぞれの端部において、操作ボタン４３が配設された面と、液晶画面４４が配設された面とが互いに向き合うようにヒンジ状の連結部４５によって連結されている。これにより、本体ケース４１、４２は、使用に応じて、図１の（ａ）に示されるように開いたり、図１の（ｂ）に示されるように閉じたりすることができる。
【００１１】
さらに、本体ケース４１の内部には、撮像装置１が収容されている。撮像装置１は、本体ケース４１の操作ボタン４３が配設された面と対向する面側から被写体の像を入力して撮像する機能を有している。
【００１２】
以下では、撮像装置１の詳細について説明する。図２は本実施形態に係るカメラ付き携帯電話機が備える撮像装置の斜視図であり、図３は、図１のIII−III線に沿った断面の一部を拡大した断面図である。
【００１３】
図２，３に示されるように、撮像装置１は、対向する底面が長方形状であり且つ高さが底面の各辺よりも短い直方体形状のレンズ鏡筒２と、ＣＭＯＳ等の撮像素子３とを備えている。レンズ鏡筒２は、箱状のハウジング４を備えている。ハウジング４の表壁（すなわち、レンズ鏡筒２の被写体側の底面を有する壁）には、光軸Ｌ１に沿って被写体側から進行してきた光をハウジング４内に進入させる光通過孔５ｃが形成されており、ハウジング４の表壁には、光通過孔５ｃを覆う光透過板７が取り付けられている。なお、光透過板７に代えてレンズであってもよい。
【００１４】
ハウジング４内には、光軸Ｌ１上において光通過孔５ｃの後側に位置し、光軸Ｌ１に沿って被写体側から入射した光を光軸Ｌ２に沿うように９０°屈曲するプリズム（反射部材）８が配置されている。また、ハウジング４内には、光軸Ｌ２上において撮像素子３の前側に位置する固定レンズ１１が配置されている。プリズム８は、ハウジング４によって保持されている。さらに、ハウジング４内には、光軸Ｌ２上においてプリズム８の後側に位置するズームレンズ１２、及び光軸Ｌ２上においてズームレンズ１２と固定レンズ１１との間に位置するズームフォーカスレンズ１３が配置されている。
【００１５】
これにより、撮像装置１では、レンズ鏡筒２の高さ方向（以下、単に「高さ方向」という）と平行な光軸Ｌ１に沿って被写体側から入射した光は、レンズ鏡筒２の底面の長手方向（以下、単に「長手方向」という）と平行な光軸Ｌ２に沿うようにレンズ鏡筒２によって９０°屈曲されて、撮像素子３によって検出される。このように、撮像装置１は、いわゆる屈曲光学系が適用された構成となっている。
【００１６】
ここで、長手方向において、撮像素子３と反対側のハウジング４の端部は、裏壁（すなわち、レンズ鏡筒２の被写体と反対側の底面を有する壁）がプリズム８の反射面８ａに沿うようにクランク状に屈曲されて切欠き部５ｄが形成されている。これにより、ハウジング４のその他の部分に比べて薄型化（低背化）されている。このように、長手方向において撮像素子３と反対側のハウジング４の端部を薄型化することができるのは、ハウジング４の端部については、その内部に配置されるプリズム８の厚さ分を考慮すれば充分だからである。
【００１７】
以下では、カメラ付き携帯電話機４０内における撮像装置１の配置について説明する。図４は、本実施形態に係るカメラ付き携帯電話機内における撮像装置の配置を示す概要図である。図３に示されるように、本体ケース４１、４２の外周部には、面取り部が形成されており、カメラ付き携帯電話機４０を手に取った際のけがの防止や他機材との摩擦傷を防ぐと共に、美的外観に優れた形状となっている。ここで、図３，４に示されるように、撮像装置１は、カメラ付き携帯電話機４０の本体ケース４１の面取り部４１ｄ付近であって本体ケース４２との連結部付近に、切欠き部５ｄが面取り部４１ｄに対応するようにして本体ケース４２の内部に配置されている。すなわち、カメラ付き携帯電話機４０の薄型化された部分（切欠き部５ｄ）は、撮像装置１の薄型化された部分（面取り部４１ｄ）と高さ方向において重なり合って配置される。これにより、長手方向において他の部品等を配置することができる空間を確保することが可能となり、カメラ付き携帯電話機４０全体として小型化することができる。
【００１８】
以上説明したように、このカメラ付き携帯電話機４０では、屈曲光学系が適用された撮像装置１のハウジング４に、入射光の光路を屈曲させるプリズム８の反射面８ａに沿うように切欠き部５ｄが形成されており、撮像装置１は、本体ケース４１の外周部に形成された面取り部４１ｄに対応するようにして本体ケース４１内に配置されている。これにより、屈曲光学系のプリズム８の形状に起因してスペースの有効活用を行うことができ、本体ケース４１の薄型化と共に小型化を実現することが可能となる。
【００１９】
本発明は、上述した実施形態に限定されるものではない。
【００２０】
例えば、撮像装置１が、本体ケース４１の内部において、本体ケース４２との連結部４５の近傍に配置された例を説明したが、図４の破線に示す箇所に配置されていてもよく、要は撮像装置１の切欠き部５ｄが本体ケース４１の面取り部４１ｄに対応していればよい。
【００２１】
また、撮像装置１が本体ケース４１の内部に配置される例を説明したが、本体ケース４２であってもよい。
【００２２】
また、携帯電話機が折畳式の例を説明したが、モノブロックタイプでもよい。
【００２３】
さらに、反射部材としてプリズム８を用いる例を説明したが、鏡でもよい。
【図面の簡単な説明】
【００２４】
【図１】本発明に係るカメラ付き携帯電話機の一実施形態を示す概要図である。
【図２】図１のカメラ付き携帯電話機に備わる撮像装置の斜視図である。
【図３】図１のIII−III線に沿った断面を一部拡大した断面図である。
【図４】図１のカメラ付き携帯電話機における撮像装置の配置を示す概要図である。
【符号の説明】
【００２５】
１…撮像装置、２…レンズ鏡筒、３…撮像素子、４…ハウジング、４ｄ…切欠き部、８…プリズム（反射部材）、１１…固定レンズ、１２…ズームレンズ、１３…ズームフォーカスレンズ、４０…カメラ付き携帯電話機、４１…本体ケース、４１ｄ…面取り部。
【図１】
2009141607.tif 000003
【図２】
2009141607.tif 000004
【図３】
2009141607.tif 000005
【図４】
2009141607.tif 000006